(57)【要約】【課題】操作者が小さな子供であるか否かを簡易な構造で容易に判定することできる移動機を提供する。【解決手段】移動機１０は、発信処理を実行するための操作入力を受け付ける入力部１２と、肌水分及び肌弾力を測定する肌センサ１４と、肌センサ１４で測定された肌水分が予め定められた閾値Ａ以上であるか否かを判定し、且つ、肌センサ１４で測定された肌弾力が予め定められた閾値Ｂ以上であるか否かを判定する判定部１６と、判定部１６によって肌水分が閾値Ａ以上であり且つ肌弾力が閾値Ｂ以上であると判定された場合に、入力部１２で受け付けた発信処理を中止する制御部とを備えており、肌センサ１４の測定部が、入力部１２の受付部１２ａと近接して配置されている。【選択図】図３
2011217124.tif 000002
【特許請求の範囲】
【請求項１】
発信処理を実行するための操作入力を受け付ける入力手段と、
肌水分及び肌弾力を測定する肌センサと、
前記肌センサで測定された前記肌水分が予め定められた水分閾値以上であるか否かを判定する水分判定手段と、
前記肌センサで測定された前記肌弾力が予め定められた弾力閾値以上であるか否かを判定する弾力判定手段と、
前記肌水分が前記水分閾値以上であり且つ前記肌弾力が前記弾力閾値以上であると判定された場合、前記入力手段で受け付けた前記発信処理を中止する制御手段と、を備え、
前記肌センサの測定部が、前記入力手段の受付部と近接して配置されていることを特徴とする移動機。
【請求項２】
肌油分が予め定められた油分閾値以上であるか否かを判定する油分判定手段を更に備え、
前記肌センサは前記肌油分を測定し、
前記制御手段は、更に前記肌油分が前記油分閾値以上である場合に、前記入力手段で受け付けた前記発信処理を中止することを特徴とする請求項１に記載の移動機。
【発明の詳細な説明】
【技術分野】
【０００１】
本発明は、子供による誤操作を防止する機能を備えた移動機に関する。
【背景技術】
【０００２】
小さな子供は携帯電話などの移動機に興味を示す傾向があり、色々と触っているうちに通信履歴などを選択決定してしまい、勝手に発信操作を行ってしまうことが知られている。このような誤発信が行われると、発信先に迷惑をかけてしまい、また、通信料も発生してしまう。更に、場合によっては、有料サイトに接続してしまい想定外の請求を受けるような場合もあり得る。その一方、小さい子供の親としては、暗証番号などで事前に移動機にロック機能をわざわざかけておくことは煩わしい。そこで、特許文献１に記載の移動機では、センサ部を設け、携帯電話を手にとったときの接触部位・面積を感知し、その感知された面積が子供の接触パターンと似ているか否かを判定し、操作者が子供であると判定された場合にその操作を制限するようにしている。
【先行技術文献】
【特許文献】
【０００３】
【特許文献１】特開２００３−１６３７３９号公報
【発明の概要】
【発明が解決しようとする課題】
【０００４】
ところで、上述した特許文献１に記載の移動機では、子供が接触すると推定される領域全般にわたってセンサ部を設ける必要があり、構造が複雑になりやすいといった問題があった。そこで、操作者が小さな子供であるか否かをより簡易な構造で判定し、操作者が小さな子供である場合、その操作を容易に制限することができる移動機の開発が望まれていた。
【０００５】
そこで、本発明は、操作者が小さな子供であるか否かを簡易な構造で容易に判定することできる移動機を提供することを目的とする。
【課題を解決するための手段】
【０００６】
上記の課題を解決するために、本発明に係る移動機は、発信処理を実行するための操作入力を受け付ける入力手段と、肌水分及び肌弾力を測定する肌センサと、肌センサで測定された肌水分が予め定められた水分閾値以上であるか否かを判定する水分判定手段と、肌センサで測定された肌弾力が予め定められた弾力閾値以上であるか否かを判定する弾力判定手段と、肌水分が水分閾値以上であり且つ肌弾力が弾力閾値以上であると判定された場合、入力手段で受け付けた発信処理を中止する制御手段とを備え、肌センサの測定部が入力手段の受付部と近接して配置されていることを特徴としている。
【０００７】
この移動機では、操作者が小さな子供（例えば５歳以下の子供）であるか否かを判定するために、操作者の肌水分と肌弾力とを測定する肌センサを用い、この肌センサの測定部を、発信処理の操作入力を受け付ける入力手段の受付部に近接するように配置している。この場合、発信処理を行うため操作者が受付部を触った際、その構造上、自然に肌センサの測定部も触ることになり、かかる移動機によれば、発信処理を行うとする操作者が小さな子供であるか否かを容易に判定することができる。しかも、肌センサの測定部を入力手段の受付部に近接して配置するといった構造であるため、その構造を簡易なものとすることができる。
【０００８】
上記移動機において、肌油分が予め定められた油分閾値以上であるか否かを判定する油分判定手段を更に備え、肌センサが肌油分を測定し、制御手段は、更に肌油分が油分閾値以上である場合に、入力手段で受け付けた発信処理を中止するようにしてもよい。この場合、肌水分及び肌弾力に加え、肌油分も判定対象とすることになり、操作者が小さな子供であるか否かをより精度よく判定することができる。
【発明の効果】
【０００９】
本発明によれば、操作者が小さな子供であるか否かを簡易な構造で容易に判定することできる。
【図面の簡単な説明】
【００１０】
【図１】本実施形態に係る移動機の機能構成を示すブロック図である。
【図２】（ａ）は肌センサを含む移動機を示す斜視図であり、（ｂ）は（ａ）の点線で囲まれた領域Ｒの部分拡大図であり、肌センサの配置構成を示す図である。
【図３】本実施形態に係る移動機のハードウェア構成を示す図である。
【図４】操作制限を行う際の動作を示すフローチャートである。
【発明を実施するための形態】
【００１１】
以下、図面を参照して、本発明に係る好適な実施形態について詳細に説明する。なお、図面の説明において、可能な場合には、同一要素には同一符号を付し、重複する説明を省略する。
【００１２】
本実施形態に係る移動機１０は、例えば携帯電話やＰＨＳなどから構成され、図１に示されるように、操作者Ｕの操作に応じて無線通信網ＮＷを介して、他の移動機Ｍと無線通信や通話を行える機器である。移動機１０は、機能的には、入力部１２、肌センサ１４、判定部１６、制御部１８（制御手段）及び通信部２０を備えている。通信部２０は、他の移動機Ｍとの間で無線通信や通話を行う機能を担う部分である。
【００１３】
入力部１２は、発信処理を実行するための操作入力を操作者Ｕより受け付ける操作ボタンである。入力部１２は、操作者Ｕが直接接触して操作を行う受付部１２ａ（図２（ｂ）参照）を有する。入力部１２は、受付部１２ａを介して発信処理を実行するための操作入力を受け付けると、発信処理の指示信号を制御部１８に出力する。制御部１８は、この指示信号が入力されると、すぐに発信処理を行うのではなくて、発信処理を一時的に中断させ、その一方、肌センサ１４を起動させる処理を行う。
【００１４】
入力部１２を構成する操作ボタンは、図２に示されるように、例えば、移動機１０の表示画面２０上に表示された通信履歴から選択された何れかの通信履歴を決定（即ち発信処理の決定）する決定ボタンである。このような選択は、受付部１２ａの周りに配置された円環状の選択ボタン２２を操作することによって実行される。
【００１５】
肌センサ１４は、図１及び図２に示されるように、水分測定部１４ａと弾力測定部１４ｂとを有しており、制御部１８からの起動指示に基づいて、各測定部１４ａ，１４ｂを起動させ、それぞれを測定モードに移行する。水分測定部１４ａは、操作者Ｕが操作の際に触る指の肌水分を測定し、測定した肌水分のデータを判定部１６に出力する。弾力測定部１４ｂは、操作者Ｕが操作の際に触る指の肌弾力を測定し、測定した肌弾力のデータを判定部１６に出力する。
【００１６】
本実施形態では、各測定部１４ａ，１４ｂは、肌水分と肌弾力との各データをそれぞれ１〜１００の１００段階に分けて出力するようになっており、肌水分の段階１は最も水分量が少ない状態を示し、肌水分の段階１００は最も水分状態が多い状態を示す。また、同様に、肌弾力の段階１は最も弾力性が低い（つまり固い）状態を示し、肌弾力の段階１００は最も弾力性が高い（柔らかい）状態を示す。
【００１７】
このような水分測定部１４ａ及び弾力測定部１４ｂは、図２（ｂ）の部分拡大図に示されるように、略円形の測定面を有する弾力測定部１４ｂの周りを囲むように水分測定部１４ａが配置され、この弾力測定部１４ｂの測定面が入力部１２の受付部１２ａと一体となるように構成されている。つまり、入力部１２の受付部１２ａを押し込んで発信処理を行おうとすると、受付部１２ａと一体である弾力測定面１４ｂの測定面を押すことになって、肌弾力が測定され、また、受付部１２ａを押し込む際に、弾力測定部１４ｂの周りの水分測定部１４ａも併せて押し込むことになるため、肌水分も同時に測定される。なお、本実施形態では、水分測定部１４ａの測定面が選択ボタン２２と一体となるように構成されている。
【００１８】
このように、移動機１０では、肌センサ１４の各測定部１４ａ，１４ｂが、入力部１２の受付部１２ａに近接して配置される。水分測定部１４ａとしては、例えば肌の誘電率から水分量を測定する静電容量式の方法が用いられ、弾力測定部１４ｂとしては、例えば肌を押した際の反発力から皮膚の弾力性を測定する方法が用いられるが、他の方式であってもよい。
【００１９】
判定部１６（水分判定手段）は、肌センサ１４から肌水分のデータが入力されると、その肌水分が予め定められた閾値Ａ以上であるか否かを判定する。本実施形態では、閾値Ａは、１００段階で示される指標の内、例えば段階８０が設定される。このような閾値自体は、実験的に求めることができる閾値であり、例えば５歳以下の子供を判定するためには、５歳以下の子供の肌水分のデータを集め、それらを集計することで、それらの平均値又は平均値よりやや小さい値を閾値として定めることができる。判定部１６は、肌センサ１４からのデータで示される肌水分が、閾値Ａ以上であると判定した場合には、肌水分が子供のものであることを示す判定結果信号を制御部１８に出力する。判定部１６は、肌水分が閾値Ａ以上ではないと判定した場合にも、その旨の判定結果信号を制御部１８に出力する。
【００２０】
また、判定部１６（弾力判定手段）は、肌センサ１４から肌弾力のデータが入力されると、その肌弾力が予め定められた閾値Ｂ以上であるか否かを判定する。本実施形態では、閾値Ｂは、１００段階で示される指標の内、例えば段階８５が設定される。このような閾値自体は、上記同様、実験的に求めることができる閾値であり、例えば５歳以下の子供を判定するためには、５歳以下の子供の肌弾力のデータを集め、それらを集計することで、それらの平均値又は平均値よりやや小さい値を閾値として定めることができる。判定部１６は、肌センサ１４からのデータで示される肌弾力が、閾値Ｂ以上であると判定した場合には、肌弾力が子供のものであることを示す判定結果信号を制御部１８に出力する。判定部１６は、肌弾力が閾値Ｂ以上ではないと判定した場合にも、その旨の判定結果信号を制御部１８に出力する。
【００２１】
制御部１８は、操作者Ｕの肌水分が閾値Ａ以上であり且つ肌弾力が閾値Ｂ以上であると判定部１６で判定された場合、入力部１２で受け付けた発信処理を中止する部分である。制御部１８は、判定部１６から、操作者Ｕの肌水分が閾値Ａ以上であり且つ肌弾力が閾値Ｂ以上であることを示す判定結果信号を受け付けると、入力部１２から入力され一時的に処理を中断していた発信処理を中止する。制御部１８は、判定部１６から、肌水分が閾値Ａ以上ではないことを示す判定結果信号又は肌弾力が閾値Ｂ以上ではないことを示す判定結果信号を受け付けた場合には、入力部１２から入力され一時的に処理を中断していた発信処理を継続し、通信部２０に所定の発信処理を実行させる。通信部２０では、所定の発信処理を行うことで、他の移動機Ｍとの間での通話や通信を実行させる。
【００２２】
このような移動機１０は、図３に示されるように、物理的には、ＣＰＵ１０ａ、ＲＡＭ１０ｂ、ＲＯＭ１０ｃ、入力装置１０ｄ、出力装置１０ｅ、通信装置１０ｆ及び記録装置１０ｇを備えており、これらはバス１０ｈに接続されている。ＣＰＵ１０ａは、ＲＯＭ１０ｃや記録装置１０ｇ等の内蔵メモリに格納された所定のコンピュータソフトウェア（図４に示す移動機１０の行う処理を実行するためのコンピュータプログラム等を含む）をＲＡＭ１０ｂにロードして実行することにより、移動機１０を統括的に制御する。
【００２３】
入力装置１０ｄは、上述した入力部を構成する操作ボタンや肌センサ１４等からなるデータ入力用デバイスであり、入力されたデータをＣＰＵ１０ａに出力する。出力装置１０ｅは、ＬＣＤ等の表示装置やスピーカ等の音声出力装置であり、ＣＰＵ１０ａから入力された文字情報等をＬＣＤ等に表示する。通信装置１０ｆは、無線通信網ＮＷ等を介して他の移動機Ｍなどとの間で通話や通信を行うためのインターフェイスを有する。記録装置１０ｇは、ＣＰＵ１０ａの実行可能なコンピュータソフトウェアを格納する。前述した各機能は、ＣＰＵ１０ａがＲＯＭ１０ｃや記録装置１０ｇ等に格納されたコンピュータソフトウェアを実行し、図３に示す移動機１０の各構成部を動作させることにより実現される機能である。
【００２４】
続いて、上述した構成を備えた移動機１０における発信制限方法について、図４を参照して説明する。
【００２５】
まず、制御部１８は、入力部１２の発信決定ボタンに対して発信処理を行うための入力があったか否かを判定する（ステップＳ１）。ステップＳ１で発信処理を行うための入力があったと判定された場合、ステップＳ２に進み、制御部１８が肌センサ１４を起動させる。肌センサ１４は、制御部１８からの起動指示を受けると、水分測定部１４ａと弾力測定部１４ｂとをそれぞれ測定モードに移行する（ステップＳ３）。そして、ステップＳ３で各測定部１４ａ，１４ｂが測定モードに移行すると、水分測定部１４ａは、操作者Ｕが操作の際に触る指の肌水分を測定し、測定した肌水分のデータを判定部１６に出力する。また、弾力測定部１４ｂは、操作者Ｕが操作の際に触る指の肌弾力を測定し、測定した肌弾力のデータを判定部１６に出力する。
【００２６】
ステップＳ３でそれぞれの測定が終了すると、ステップＳ４に進み、判定部１６は、まず、肌センサ１４から入力された肌水分のデータが予め定められた閾値Ａ以上であるか否かを判定する。判定の結果、肌水分が閾値Ａ以上であると判定された場合、ステップＳ５に進む。一方、判定の結果、肌水分が閾値Ａ以上ではないと判定された場合、すなわち、肌水分が小さい子供のものよりも少ないと判定された場合、操作者は大人であると推定され、ステップＳ６に進んで、制御部１８が通常の発信処理を行う。
【００２７】
続いて、ステップＳ５では、判定部１６は、肌センサ１４から入力された肌弾力のデータが予め定められた閾値Ｂ以上であるか否かを判定する。判定の結果、肌弾力が閾値Ｂ以上でないと判定された場合、すなわち、肌弾力が小さい子供のものよりも少ないと判定された場合、操作者は大人であると推定され、上記と同様に、ステップＳ６に進んで、制御部１８が通常の発信処理を行う。一方、ステップＳ５において、判定部１６が、肌センサ１４から入力された肌弾力のデータが予め定められた閾値Ｂ以上であると判定した場合、ステップＳ７に進み、制御部１８は、入力部１２で受け付けた発信処理を中止する。これにより、小さい子供による発信操作が制限される。
【００２８】
このように、本実施形態によれば、操作者が小さな子供（例えば５歳以下の子供）であるか否かを判定するために、操作者Ｕの肌水分と肌弾力とを測定する肌センサ１４を用い、この肌センサ１４の測定部を、発信処理の操作入力を受け付ける入力部１２の受付部１２ａに近接するように配置している。このため、発信処理を行うため操作者Ｕが受付部１２ａを触った際、その構造上、自然に肌センサ１４の測定部も触ることになり、かかる移動機１０によれば、発信処理を行うとする操作者Ｕが小さな子供であるか否かを容易に判定することができる。しかも、肌センサ１４の測定部を入力部１２の受付部１２ａに近接して配置するといった構造であるため、その構造を簡易なものとすることができる。
【００２９】
以上、本発明をその実施形態に基づき具体的に説明したが、本発明は、上記実施形態に限定されるものではない。例えば、上記実施形態では、肌水分と肌弾力とを用いて、操作者Ｕが小さい子供であるか否かを判定するようにしていたが、肌水分と肌弾力に加えて肌油分を用いて、操作者Ｕが小さい子供であるか否かを判定するようにしてもよい。この場合、移動機１０は、肌油分が予め定められた油分閾値以上であるか否かを判定する油分判定部を更に備える構成とし、肌センサ１４が肌油分も測定し、制御部１８は、更に肌油分が油分閾値以上である場合に、入力部１２で受け付けた発信処理を中止する。このように、肌水分及び肌弾力に加え、肌油分も判定対象とすることにより、操作者Ｕが小さな子供であるか否かをより精度よく判定することができる。
【００３０】
また、上記実施形態では、通信履歴から選択決定されて発信が行われる際の発信制限を例にとって説明したので、移動機１０の決定ボタンが入力部１２となったが、通信履歴を用いずに、電話番号を入力して発信が行われる際の発信を制限させるために、本発明を適用するようにしてもよい。この場合、移動機１０の発信ボタンが入力部１２となり得る。
【符号の説明】
【００３１】
１０…移動機、１２…入力部、１２ａ…受付部、１４…肌センサ、１４ａ…水分測定部、１４ｂ…弾力測定部、１６…判定部、１８…制御部。
【図１】
2011217124.tif 000003
【図２】
2011217124.tif 000004
【図３】
2011217124.tif 000005
【図４】
2011217124.tif 000006